(57)【特許請求の範囲】
【請求項１】
天板と該天板周縁にグローブ取り付け面側に立ち上がる第１の立ち上がり部と前記天板の該第１の立ち上がり部形成面にグローブを支持する受け金具とを有する器具本体と、平面部と該平面部に連接し器具本体への取り付け面側に立ち上がる第２の立ち上がり部とを有する開口端部を備え、開口周縁部に前記受け金具に支持される張り出し部を設けたグローブとを有する照明器具において、前記第２の立ち上がり部先端部より前記天板と略平行に延設する延設部を設け、前記グローブを前記器具本体に取り付けた際に、該延設部が前記器具本体の受け金具を設けた面に当接するとともに前記延設部が前記器具本体への取り付け面側に傾斜して成ることを特徴とする照明器具。
【請求項２】
天板と該天板周縁にグローブ取り付け面側に立ち上がる第１の立ち上がり部と前記天板の該第１の立ち上がり部形成面にグローブを支持する受け金具とを有する器具本体と、平面部と該平面部に連接し器具本体への取り付け面側に立ち上がる第２の立ち上がり部とを有する開口端部を備え、開口周縁部に前記受け金具に支持される張り出し部を設けたグローブとを有する照明器具において、前記第２の立ち上がり部先端部より前記天板と略平行に延設する延設部を設け、前記グローブを前記器具本体に取り付けた際に、該延設部が前記器具本体の受け金具を設けた面に当接するとともに前記延設部を階段形状としたことを特徴とする照明器具。
【請求項３】
前記グローブを前記器具本体に取り付けた際に、前記第１の立ち上がり部が、前記平面部に当接することを特徴とする請求項１または請求項２記載の照明器具。
【発明の詳細な説明】
【０００１】
【発明の属する技術分野】
本発明は、照明器具に関するものである。
【０００２】
【従来の技術】
図５は、照明器具の分解斜視図であり、これは、グロープ２を器具本体１に対して回転させることにより、グローブ２の張り出し部３（または張り出し部３に設けた補助止め具９）が器具本体１に設けた受け金具４に進入して支持されるものである。
【０００３】
器具本体１は略円板状の天板１ａの中央に点灯装置５及びランプ６等が取り付けられ、周縁部に下方を向いた立ち上がり部７が設けられ、立ち上がり部７に近接した天板１ａに受け金具４が設けられている。
【０００４】
グローブ２はランプ６を包囲し、開口周縁部に上方を向いた立ち上がり部８と立ち上がり部８に連接する平面部２ａを有し、この立ち上がり部８の径は、器具本体１の立ち上がり部７の径よりも小さく、所望の箇所で開口中央に張り出す張り出し部３が設けられている。
【０００５】
図６乃至図８は、従来例に係る照明器具の要部断面図である。図６，図７に示す照明器具では、受け金具４は、略Ｌ字状であって下端に略水平な受け部４ａと、器具本体１の周方向に沿って受け部４ａの下端から斜め下方に延設された案内部４ｂとで構成されており、グローブ２の張り出し部３形成箇所には受け部４ａで支持される補助止め具９が設けられている。そして、グローブ２の開口を器具本体１と合わせて押し上げて回転させると、張り出し部３に設けられた補助止め具９が受け金具４の案内部４ｂに案内されて受け部４ａ上に乗り上げて、器具本体１に装着される。
【０００６】
ここで、図６に示す照明器具では、グローブ２の平面部２ａに器具本体１の立ち上がり部７の先端が当接することにより防虫性を確保しており、図７に示す照明器具では、器具本体１の天板１ａとグローブ２の立ち上がり部８の先端とがスポンジ状のパッキン１０を介して当接することにより防虫性を確保している。
【０００７】
また、図８に示す照明器具では、グローブ２の立ち上がり部７が開口外方に略Ｌ字状となるように折り曲げられ、受け金具４に直接グローブ２の張り出し部３が支持されている。そして、グローブ２の平面部２ａに器具本体１の立ち上がり部７の先端が当接することにより防虫性を確保している。
【０００８】
【発明が解決しようとする課題】
ところが、図６，図８に示す照明器具では、熱が加わった際にグローブ２が変形し、器具本体１との間に隙間が発生するという問題があった。
【０００９】
また、図７に示す照明器具では、パッキン１０を介して器具本体１とグローブ２とを当接させるために、コストが高くなる。
【００１０】
本発明は、上記の点に鑑みて成されたものであり、その目的とするところは、防虫性の高い照明器具を提供することにある。
【００１１】
【課題を解決するための手段】
請求項１記載の発明は、天板と該天板周縁にグローブ取り付け面側に立ち上がる第１の立ち上がり部と前記天板の該第１の立ち上がり部形成面にグローブを支持する受け金具とを有する器具本体と、平面部と該平面部に連接し器具本体への取り付け面側に立ち上がる第２の立ち上がり部とを有する開口端部を備え、開口周縁部に前記受け金具に支持される張り出し部を設けたグローブとを有する照明器具において、前記第２の立ち上がり部先端部より前記天板と略平行に延設する延設部を設け、前記グローブを前記器具本体に取り付けた際に、該延設部が前記器具本体の受け金具を設けた面に当接するとともに前記延設部が前記器具本体への取り付け面側に傾斜して成ることを特徴とするものである。
【００１２】
請求項２記載の発明は、天板と該天板周縁にグローブ取り付け面側に立ち上がる第１の立ち上がり部と前記天板の該第１の立ち上がり部形成面にグローブを支持する受け金具とを有する器具本体と、平面部と該平面部に連接し器具本体への取り付け面側に立ち上がる第２の立ち上がり部とを有する開口端部を備え、開口周縁部に前記受け金具に支持される張り出し部を設けたグローブとを有する照明器具において、前記第２の立ち上がり部先端部より前記天板と略平行に延設する延設部を設け、前記グローブを前記器具本体に取り付けた際に、該延設部が前記器具本体の受け金具を設けた面に当接するとともに前記延設部を階段形状としたことを特徴とするものである。
【００１３】
請求項３記載の発明は、請求項１または請求項２記載の照明器具において、前記グローブを前記器具本体に取り付けた際に、前記第１の立ち上がり部が、前記平面部に当接することを特徴とするものである。
【００１５】
【発明の実施の形態】
以下、本発明の一実施の形態について図面に基づき説明する。図１は、本発明の一実施の形態に係る照明器具を示す概略構成図であり、（ａ），（ｂ）は要部断面図であり、（ｃ）は要部底面図である。この照明器具は、器具本体１と、この器具本体１に回転させて取り付けるグローブ２とを備えて成る。
【００１６】
器具本体１は略円板状の天板１ａの中央に点灯装置（図示せず）及びランプ（図示せず）等が取り付けられ、周縁部に下方を向いた立ち上がり部７が設けられ、立ち上がり部７に近接した天板１ａに受け金具４が設けられている。
【００１７】
受け金具４は、略Ｌ字状であって下端に略水平な受け部４ａと、器具本体１の周方向に沿って受け部４ａの下端から斜め下方に延設された案内部４ｂとで構成されている。
【００１８】
グローブ２は、.透光性を有する例えばガラス製であって、ランプ６を包囲し、上端の平面部２ａの開口周縁部に上方を向いた立ち上がり部８が設けられている。また、立ち上がり部８の先端は、開口周縁部の断面が略コ字状となるように開口外側に延設されて延設部８ａを構成するとともに、延設部８ａはグローブ２の上方に階段状に形成されている。
【００１９】
なお、本実施の形態においては、延設部８ａを階段状に形成したが、これに限定されるものではない。
【００２０】
そして、グローブ２の開口を器具本体１と合わせて押し上げて回転させると、張り出し部３が受け金具４の案内部４ｂに案内されて受け部４ａ上に乗り上げて、張り出し部３が受け部４ａに支持され、器具本体１に装着される。
【００２１】
ここで、本実施の形態においては、立ち上がり部８の高さＡは、器具本体１の立ち上がり部７の高さＢよりも高く、器具本体１にグローブ２を取り付けた際に、器具本体１の下方側の平面部に、延設部８ａの上方の面が当接するようになっている。
【００２２】
また、受け部４ａの下端上面と天板１ａの下方側の面との間の高さＣは、グローブ２の平面部２ａの下方側の面と延設部８ａの上方側の面との間の高さＡ’よりもやや低く設定され、受け部４ａに張り出し部３を進入させた際に、天板１ａの下方側の平面部に、延設部８ａの上方側の面を押し付けるようになっている。
【００２３】
そして、グローブ２の開口端には開口中央に向かって張り出す張り出し部３が、受け金具４と同数だけ設けられ、グローブ２を器具本体１に取り付けた際に、受け金具４に対応する箇所に張り出し部３が設けられている。
【００２４】
また、立ち上がり部８の高さＤは、高さＣよりも低く設定されており、張り出し部３が受け部４ａに押し上げられても、天板１ａの下方側の面に張り出し部３が接触しないようになっている。
【００２５】
次に、図２乃至図４は、本発明に係る照明器具の異なる実施の形態を示す要部断面図である。図２に示す照明器具では、図１に示す照明器具において、階段状に形成された立ち上がり部８の先端が上方に傾斜するようにした構成であり、器具本体１にグローブ２を取り付けた際に、傾斜した箇所の上方先端を下方に押さえつけられるようになっている。
【００２６】
なお、図２においては、延設部８ａを階段状に形成したが、これに限定されるものではない。また、立ち上がり部７の先端が、グローブ２の平面部２ａに当接するようにしてもしなくてもよいが、当接させるとさらに防虫性を高めることができる。
【００２７】
図３に示す照明器具では、図１に示す照明器具において、器具本体１の立ち上がり部７先端を、グローブ２の平面部２ａに当接させるようにした構成である。
【００２８】
図４に示す照明器具では、図１に示す照明器具において、延設部８ａを逆方向に延設、つまり、グローブ２の開口中央方向に延設させた構成である。
【００２９】
なお、図２，図３に示す照明器具において、延設部８ａを逆方向に延設、つまり、つまり、グローブ２の開口中央方向に延設させるようにしてもよい。
【００３０】
以上の構成により、上述の全ての実施の形態においては、天板１ａの下方側の面と延設部８ａとは広い面積で当接しているので、防虫性が高まる。
【００３１】
また、従来例のように、器具本体１の立ち上がり部７先端とグローブ２の平面部２ａとを当接させていた時より、受け金具４に近い箇所で当接させているため、防虫性が高まる。
【００３２】
また、熱が加わることにより、グローブ２が変形しても、受け金具４より下方が垂れることがあっても上方は垂れないため、防虫性を保つことができる。
【００３３】
また、図１，図２，図４に示す照明器具では、器具本体１の立ち上がり部７先端とグローブ２の平面部２ａとが当接していないために、グローブ２の受け金具４より下方が垂れても、そのことが目立たないため外観が崩れない。
【００３４】
また、グローブ２の開口周縁部に立ち上がり部８だけでなく、延設部８ａを設けているので、強度を増すことができる。
【００３５】
また、図２に示す照明器具では、延設部８ａに傾斜を設けて弾性を持たせているので、受け金具４の受け部４ａに張り出し部３を進入させる際にかかる力を和らげることができるとともに、寸法ばらつきを大きく取れる。
【００３６】
また、傾斜を設けた延設部８ａを下方に押しつけることにより受け部４ａに進入させるようにしているので、万が一、延設部８ａが垂れ始めても、延設部８ａは上方へ向かう弾性力により天板１ａの下方側の面との当接を保持し、防虫性が保てる。
【００３７】
また、張り出し部３を天板１ａの下方側の面に当接させないようにしているので、器具本体１にグローブ２を取り付ける際にかかる力を和らげることができる。
【００３８】
【発明の効果】
請求項１記載の発明は、第２の立ち上がり部先端部より天板と略平行に延設する延設部を設け、グローブを器具本体に取り付けた際に、延設部が器具本体の受け金具を設けた面に当接するので、天板と広い面積で当接することになって防虫性が高まり、また、熱によってグローブが変形しても、受け金具よりも上方は垂れないので防虫性が確保でき、また、延設部を設けることにより強度を増すことができ、防虫性の高い照明器具を提供することができる。
また、延設部が器具本体への取り付け面側に傾斜して成るので、延設部を押し下げるように器具本体にグローブを取り付けることにより、延設部に弾性を持たせることができ、器具本体にグローブを取り付ける際にかかる力を和らげることができ、また、延設部が例え下方に垂れても上方に向かう弾性力により防虫性を確保することができ、また弾性を有することで寸法ばらつきを大きく取ることができる。
【００３９】
請求項２記載の発明は、第２の立ち上がり部先端部より天板と略平行に延設する延設部を設け、グローブを器具本体に取り付けた際に、延設部が器具本体の受け金具を設けた面に当接するので、天板と広い面積で当接することになって防虫性が高まり、また、熱によってグローブが変形しても、受け金具よりも上方は垂れないので防虫性が確保でき、また、延設部を設けることにより強度を増すことができ、防虫性の高い照明器具を提供することができる。
また、前記延設部を階段形状としたので、器具本体にグローブを取り付ける際にかかる力を和らげることができる。
【００４０】
請求項３記載の発明は、請求項１または請求項２記載の照明器具において、グローブを器具本体に取り付けた際に、第１の立ち上がり部が、平面部に当接するので、２箇所で器具本体とグローブとが当設することになり、請求項１または請求項２記載の発明の効果に加えて、さらに防虫性を高めることができる。
【図面の簡単な説明】
【図１】本発明の一実施の形態に係る照明器具を示す概略構成図であり、（ａ），（ｂ）は要部断面図であり、（ｃ）は要部底面図である。
【図２】本発明の他の実施の形態に係る照明器具の要部断面図である。
【図３】本発明の他の実施の形態に係る照明器具の要部断面図である。
【図４】本発明の他の実施の形態に係る照明器具の要部断面図である。
【図５】照明器具の分解斜視図である。
【図６】従来例に係る照明器具の要部断面図である。
【図７】従来例に係る照明器具の要部断面図である。
【図８】従来例に係る照明器具の要部断面図である。
【符号の説明】
１  器具本体
１ａ  天板
２  グローブ
２ａ  平面部
３  張り出し部
４  受け金具
４ａ  受け部
４ｂ  案内部
５  点灯装置
６  ランプ
７，８  立ち上がり部
８ａ  延設部
９  補助止め具
１０  パッキン
【図１】
0003861440.tif 000002
【図２】
0003861440.tif 000003
【図３】
0003861440.tif 000004
【図４】
0003861440.tif 000005
【図５】
0003861440.tif 000006
【図６】
0003861440.tif 000007
【図７】
0003861440.tif 000008
【図８】
0003861440.tif 000009